(57)【要約】      （修正有）【課題】被介護者がベッドに寝たままで入浴することやシャワーを浴びることが可能であり、排泄を含むベッド上での生活を快適に送ることができるベッド装置を提供する。【解決手段】水を溜めるための扁平な形状のベッド本体を具備した介護用ベッド装置として、ベッド本体１１の内部に上下に移動可能に配置された昇降台２０並びに昇降台２０の上面に着脱可能に敷設されたベッドマットと、ベッド本体１１の下部に設置され、ベッド本体１１の底面１２を貫通し、上端が上記昇降台２０に取り付けられた昇降軸２３を有する昇降台昇降装置２４と、ベッド本体１１を支えるベッド基台を左右に傾斜させることにより寝返りを助けるための寝返り支援装置を備えるものとする。【選択図】図２
2009082388.tif 000002
【特許請求の範囲】
【請求項１】
水を溜めるための扁平な形状のベッド本体を具備した介護用ベッド装置であって、
ベッド本体の内部に上下に移動可能に配置された昇降台並びに昇降台の上面に着脱可能に敷設されたベッドマットと、ベッド本体の下部に設置され、ベッド本体の底面を貫通して上端が上記昇降台に取り付けられている昇降軸を有する昇降台昇降装置と、ベッド本体を支えるベッド基台を左右に傾斜させることにより寝返りを助けるための寝返り支援装置を備えて構成された介護用ベッド装置。
【請求項２】
ベッド本体は、底板部と、その前後両端に立ち上がる前板部及び後板部とを有し、底板部の左右両側と前板部及び後板部に取り付けて、水を溜めるタンク状の構造とするために、着脱可能に設けられた左右の側板部を備えている請求項１記載の介護用ベッド装置。
【発明の詳細な説明】
【技術分野】
【０００１】
本発明は、水を溜めるための扁平な形状のベッド本体を具備した介護用ベッド装置に関するものである。
【背景技術】
【０００２】
介護用のベッドには様々な種類があるがシャワーや入浴などが可能なものは多くなく、シャワーや入浴などが可能な構造のものは概して大型且つ複雑な構造になりがちである。例えば特開平１０−１３７３１４号はシャワー水吸収空間、断熱性合成樹脂製シャワー水吸水部を備えており、硬質合成樹脂製ベッドマット支持板で仕切られた空間をベッドの下部に設ける必要がある。そのためにベッド自体の厚さと重量が増すことになる。
【０００３】
特開２００１−２８６５２６号は入浴用主槽と洗髪用副槽に区分されたベッドの頭側脚台に、ユニット化した病弱者移動用リフターを組み付け、病弱者をベッドと浴槽に亘って吊持移動させる発明を開示している。この場合病弱者は移動の都度ベッド又は浴槽から吊り上げられることになり、手間も危険も増すと考えられる。その点実用新案登録第３１２９８１７号は四周を囲まれたベッドの中にマットレスよりも大きい防水ベッドカバーを設置して水を溜められるようにしているので簡便であるが、防水ベッドカバーがずれると溜まった水がこぼれ易く、快適に入浴させることは難しい。
【０００４】
このような状況において、本発明者はシャワーが可能なベッド装置を開発し（特開２００３−７９６９４号）特許を得ている（特許第３８１０２９５号）。同号の発明はベッドとして使用するための床材を具備するとともに、床材の下にスペーサーを配置して被介護者を底から浮かせた状態とし、シャワーを使うことができるように構成されているので、ベッドに寝たままでシャワーを浴びることが可能である。シャワーを浴びるためには床材を外す必要があるから、そのためには被介護者の身体を介護者が動かしながら床材を外す作業が必要になる。しかしながら、この作業は介護者にとって重労働であり、また非介護者にとっても身体的な負担は無視できないことが指摘された。
【０００５】
【特許文献１】特開平１０−１３７３１４号
【特許文献２】特開２００１−２８６５２６号
【特許文献３】実用新案登録第３１２９８１７号
【特許文献４】特開２００３−７９６９４号
【発明の開示】
【発明が解決しようとする課題】
【０００６】
本発明は前記の点に着目してなされたもので、その課題は、ベッドに寝たままで入浴することやシャワーを浴びることが可能であり、そのために介護者にとってもまた非介護者にとっても身体的な負担が可能な限り少なくて済むようにすることである。また、本発明の他の課題は、被介護者が、排泄を含むベッド上での生活を快適に送ることができるようにすることである。
【課題を解決するための手段】
【０００７】
前記の課題を解決するため、本発明は、水を溜めるための扁平な形状のベッド本体を具備した介護用ベッド装置について、これをベッド本体の内部に上下に移動可能に配置された昇降台並びに昇降台の上面に着脱可能に敷設されたベッドマットと、ベッド本体の下部に設置され、ベッド本体の底面を貫通して上端が上記昇降台に取り付けられている昇降軸を有する昇降台昇降装置と、ベッド本体を支えるベッド基台及びベッド本体を左右に傾斜させる寝返り支援装置を備えて構成するものとするという手段を講じたものである（請求項１記載の発明）。
【０００８】
上記の構成において、水を溜めるための扁平な形状、とあるのは例えばタンク状の構造を有している必要はないが、すぐにタンク状の構造となり得る構造であれば条件を満たすと言うことを意味する。つまり、ベッド本体が、底板部と、その前後両端に立ち上がる前板部及び後板部とを有し、底板部の左右両側と前板部及び後板部に取り付けて、水を溜めるタンク状の構造とするために、着脱可能に設けられた左右の側板部を備えている場合には（請求項２記載の発明）、左右の側板部をベッド本体に装着するだけでタンク状の構造を有することになる。
【０００９】
本発明に係る介護用ベッド装置は、ベッド本体の内部に上下に移動可能に配置された昇降台並びに昇降台の上面に着脱可能に敷設されたベッドマットを具備する。ベッド本体は扁平なタンク状の構造を有するのでその内部に昇降台を配置することができるものであり、その昇降台はベッドマットを具備しているので、被介護者はベッドマットに横たわった状態において、日常の生活をすることができる。
【００１０】
上記ベッドマットは昇降台から着脱可能であり、ベッドマットを取り外すことにより入浴或いはシャワーを使うための準備の一つが整う。昇降台はシャワーや入浴の水を被るので、耐水性の材料によって形成することは当然である。また、被った水を排水するための構造を備えているべきことも当然である。そのような排水構造は、例えばマットの下面に設けられている突起を嵌め合わせるためのセット孔を昇降台に開けておくことによって形成することができる。つまり昇降台に開けたセット孔を排水口に利用することができる。
【００１１】
上記ベッド本体の下部には、ベッド本体の底面を貫通して上端が上記昇降台に取り付けられている昇降軸を有する昇降台昇降装置を設置する。昇降台昇降装置は、昇降台がベッド本体の底面上に位置しており、その位置で被介護者に介護を施している状態において、被介護者を上昇させベッド本体の上方へ一時的に回避ないし退避させる手段であり、流体圧力を用いるピストンシリンダー装置、或いは回転モーター装置を動力源とした昇降軸を有する。
【００１２】
このような構成において、ベッド本体はベッド基台上に配置され、ベッド本体を支えているベッド基台は寝返り支援装置により左右に傾斜させることができるように構成されている。寝返り支援装置は、昇降台として構成されている部分に仰向けに寝ている被介護者の寝返りを支援するもので、ベッド上の生活を余儀なくされている被介護者に少しでも姿勢変化の機会を与え、血流の促進を図るとともに、弛緩し勝ちな筋肉の緊張を促して新陳代謝の改善を図り、また床擦れを防止することを意図している。
【発明の効果】
【００１３】
本発明は以上のように構成されかつ作用するものであり、水を溜めるための扁平な形状のベッド本体を具備しているから、ベッドに寝たままで入浴することやシャワーを浴びることが可能であり、被介護者の身体を動かさなくても済むために、介護者にとってもまた非介護者にとっても身体的な負担が可能な限り少なくて済むようになる。また、本発明によれば、被介護者は排泄や入浴を含むベッド上での生活を快適に送ることができるようになるという効果を奏する。
【発明を実施するための最良の形態】
【００１４】
以下図示の実施形態を参照して本発明をより詳細に説明する。図１は本発明に係る介護用ベッド装置１０の一例を示しており、水を溜めるための扁平な形状のベッド本体１１を具備している。ベッド本体１１は、底板部１２と、その前後両端に立ち上がる前板部１３及び後板部１４とを有し、底板部１２の左右両側と前板部１３及び後板部１４に取り付けて、水を溜めるタンク状の構造とするために、着脱可能に設けられた左右の側板部１５、１６を備えている（図３参照）。１７、１８は側板部固定手段のハンドルを示しており、側板部１５、１６をその係合部にて前板部１３及び後板部１４に固定する。１９は可動脚部、１９ａはその車輪、１９ｂは可動脚上下装置を示しており、可動脚部１９は前後左右４個から構成されていて、図外の制御装置によりベッド本体１１を上下動可能及び前後傾斜可能に支持している。ベッド本体１１は足元を深く、傾斜貯水可能になっている。
【００１５】
ベッド本体１１はその内部に上下に移動可能に配置される昇降台２０を有しており、ベッド本体１１の下部に設置され、ベッド本体１１の底面に形成されているシールド２１付きの軸孔２２を貫通して、上端が上記昇降台２０に取り付けられている昇降軸２３を有する昇降台昇降装置２４を備えている。図１等に示した昇降台昇降装置２４は、４箇所に配置した昇降軸２３をピストンシリンダー装置により駆動する構造を有している。しかしそれに限らず、図４に示したように例えばモーター駆動のねじジャッキから成る昇降台昇降装置２４′により昇降軸２３′を駆動するなど、他の駆動手段も取り得る。
【００１６】
昇降台２０は、仰向けに寝た姿勢でいる被介護者の上半身を起こすために、被介護者の上半身を支える上半部２５Ｔと下半身を支える下半部２５Ｂの２部分を具備して構成されている。なお、上半部２５Ｔと下半部２５Ｂはヒンジ部２５Ｃによって結合されている。昇降台２０は、上半部２５Ｔ、下半部２５Ｂの基枠を有し、その底面２０′の上に複数のベッドマット２６が敷設されている。
【００１７】
図示の例では、ベッドマット２６は基枠の底面２０′の上に左右２列でほぼ全面に配置されており、個々のベッドマット２６は下面の突起を基枠に設けられたセット孔２７に嵌め合わせて取り付けられている（図５Ａ、Ｂ参照）。本発明においては、上半身を受支える上半部２５Ｔのベッドマット２６の間に中央部縦方向の溝状の部分２８を設け、そこに被介護者の背骨部分が収まるように構成されている。図においては、下半部２５Ｂの左右マット列の間にも同様の間隔が示されているが、これは下半部での間隔が溝状の部分２８と同じであることを示す。
【００１８】
ベッドマット２６の配置において、基枠の被介護者の腰を支える箇所に覆いマット２９を着脱可能に設け、かつまた、覆いマット２９を取り外したときに昇降台下部に排泄物を落とすための排泄口３０を上記の位置の基枠の底面２０′に設けている。排泄口３０は、昇降台２０の下半部２６Ｂの、被介護者の尿道口及び肛門の位置に適合した位置に配置する。なお、その位置は、被介護者がベッド本体１１に仰向けに横たわっている状態を想定してのものである。２６′は小型ベッドマットを示しており、覆いマット２９と組み合わされ、両者を組み合わせると標準のベッドマット２６の大きさになる。３１はセット孔を示しており、覆いマット２９の下面の突起を嵌め合わせて着脱可能に取り付けるための手段である。ベッド本体１１からマット２６を取り外したときには清掃が容易化する。
【００１９】
上記排泄口３０の周囲には便座３２を設けるものとし、便座３２は、被介護者の身体に弾力的に接触する構造を持ち、かつ洗浄に耐える資材を用いて形成されている。本発明において、セット孔２７、３１は排水口を兼ねており、ベッド上面部２５で扱われる水を、上記汚水受けとしてのベッド本体１１の底面上に排出する構成を持っている。ベッド上面部２５Ｔの上端の枕元に相当する箇所には洗髪スペース３３が設けられており、その排水も汚水受けに流される。
【００２０】
このようなベッド本体１１において、上記下半部２５Ｂと上半部２５Ｔは、ほぼ平坦な状態からほぼ平坦な下半部２５Ｂに対して上半部２６Ｔが数度から６０度まで、好ましくは１５〜３０度の角度に起き上がる傾斜状態まで起伏可能に形成されている。上記起伏動作のために、上半部の基枠との間に起伏機構がベッド本体１１の両側に設けられている。図示の例では起伏機構として、ピストンシリンダー装置から成る起伏用駆動装置３４を使用しその一端３４ａを下半部側に取り付け、他端３４ｂを上半部側に取り付けている。この構成により、上半部２５Ｔを例えば１５〜３０度の角度だけ傾斜させ、それにより被介護者の身体に起き上がりの効果を及ぼし、その結果、排尿、排便上の支障原因を減少させ得ることとなる。
【００２１】
本発明において、昇降台２０は昇降軸２３、２３′によって支えられており、それは昇降台昇降装置２４、２４′の伸縮により、図１に示す低位置から図２に示す高位置まで、任意に高さを変えることができるものである。しかし、昇降軸２３、２３′は左右に設けられており、左右の昇降軸２３、２３′を個別に作動させることも可能であり、左右の昇降軸２３、２３′を別々に作動させることによって昇降台２０を右又は左に傾けることができる。つまり昇降軸２３、２３′は、寝返り支援の構成をも有している。この寝返り支援構成により、本発明のベッド装置１０を使用して排尿、排便を実行するために、ベッドマット２６を取り外す作業を被介護者の姿勢を変えて容易に実施することができる。
【００２２】
本発明のベッド装置１０は、上記の構成を備えていることにより、ベッド本体１１を使用して、そこに仰向けに寝た姿勢のままでいる被介護者Ｐに対して排便、排尿をさせることができ、その場合には図６に示すように昇降台昇降装置２４を起動して昇降台２０を上昇させ、排泄口３０の下部に便器３５をあてがう。排泄状態を得るには覆いマット１７を外せば良いが、そのために被介護者Ｐの身体を持ち上げる必要はなく、寝返り支援装置を起動してやれば仰向けの姿勢の身体を左右どちらかへ向けることができるので、その間に覆いマット１７を取り外すことができる。外した覆いマット１７を再度装着するときも同様である。また、被介護者Ｐの上半身を起こし気味の姿勢にしてやることによって、生理的に排尿、排便し易い状態を作り出し、排泄を促すことが可能になる。なお、３６は排水栓を示す。
【００２３】
本発明のベッド装置１０を使用してシャワーを使わせたり、入浴させたりするためには側板部１５、１６を取り付けた状態とする（図７Ａ、Ｂ）。この被介護者に水を使う状態では、予めベッドマット２６等を取り外しておいた方が良いが、その際にも寝返り支援構成を利用することにより、被介護者の身体を目的の側に傾斜させることができるので、介護者は僅かに力を加えるだけでベッドマット２６等を取り外すことができる。また、寝返り支援構成を利用して被介護者の身体を左右に傾けることにより、体重の掛かっている点が変化し、鬱血を改善することができるとともに、寝返り支援装置とベッド本体１１の姿勢を前後に傾斜させ姿勢変化を加えることにより、心臓に軽度の負担を加えて血流を促進する効果を期待することもできる。
【００２４】
上記の介護中に、被介護者Ｐの身体を水面上へ露出させる必要が生じた場合には、昇降台昇降装置２４を起動して昇降台２０を任意の上昇位置に配置し、水面上へ回避した状態とすることができる。水中にある被介護者Ｐを水面上へ回避させる操作は、被介護者Ｐが水平姿勢で寝たままであっても、また、上半身を起こしていても、どちらの姿勢においても実行することができるので、介護中の被介護者Ｐに急な変化が起こったり、或いは便意を催したりしたような場合でも事態に即応することが可能であり、また安全性も高い。介護作業の種類や介護者の体格によっては、ベッド本体１１に横たわる被介護者Ｐの高さも重要な要素であり、そのために可動脚部１９を作動させてベッド本体全体を上下動させることができ、また必要に応じて昇降台昇降装置２４を併用することも可能であるので、介護者に求められる負担も軽減される。
【００２５】
本発明のベッド装置１０は、このように構成され且つ作用するものであり、被介護者Ｐ及び介護者を支援しその努力を軽減することとなり、これによって寝たままの姿勢でいることによる弊害を軽減することも可能になる。また寝た切りの被介護者に不可避の床擦れについても、身体との接触点を床擦れ防止機構により随時変更してやることにより軽減することができる。
【図面の簡単な説明】
【００２６】
【図１】本発明に係る介護用ベッド装置の一例を示す側面図である。
【図２】同上のものにおけるベッド装置の姿勢変化を示した側面図である。
【図３】同じくベッド本体上面の平面図である。
【図４】同じく本発明の装置における昇降台昇降装置の他の例を示す側面図である。
【図５】ベッドマットを示したもので、Ａは一部のベッドマットを外して下部構造を示した平面図、Ｂは平面図である。
【図６】同じく本発明の装置を用便に使用する状態の説明図である。
【図７】同じく本発明の装置の使用状態を示すもので、Ａは溜めた水に被介護者が浸かっている状態を示す説明図、Ｂは水面上に回避している状態を示す説明図である。
【符号の説明】
【００２７】
１０  介護用ベッド装置
１１  ベッド本体
１２  底板部
１３  前板部
１４  後板部
１５、１６  側板
１７、１８  固定手段のハンドル
１９  可動脚部
２０  昇降台
２１  シールド
２２  軸孔
２３、２３′  昇降軸
２４、２３′  昇降台昇降装置
２５Ｔ、２５Ｂ  ベッド本体の上半部、同じく下半部
２６′  ベッドマット
２７、３１セット孔
２８  溝状の部分
２９  覆いマット
３０  排泄口
３２  便座
３３  洗髪スペース
３４  起伏用駆動装置
３５  便器
３６  排水栓
【図１】
2009082388.tif 000003
【図２】
2009082388.tif 000004
【図３】
2009082388.tif 000005
【図４】
2009082388.tif 000006
【図５】
2009082388.tif 000007
【図６】
2009082388.tif 000008
【図７】
2009082388.tif 000009